(57)【要約】【課題】嵩が低く且つ軽量で、一人でも持ち運びや取り付け作業ができると共に、新たな黒板の他、既存の黒板表面やその他のボード面等に取り付けることで新たな黒板を製作することができ、皺が付き難く、磨耗も少ない黒板シートの提供を課題とする。【解決手段】既存の黒板表面に張り付けることで新しい黒板表面とすることができる黒板シート１０であって、最下層をなす剥離紙１１で両面接着材１２の下面を被覆し、該両面接着材１２の上面にプラスチックフィルム１３を接着し、該プラスチックフィルム１３の上表面には黒板塗料１４を積層して、全体を１枚の巻回自在な柔軟シートとした。【選択図】      図１
0003149866.tif 000002
【実用新案登録請求の範囲】
【請求項１】
既存の黒板表面に張り付けることで新しい黒板表面とすることができる黒板シートであって、最下層をなす剥離紙で両面接着材の下面を被覆し、該両面接着材の上面にプラスチックフィルムを接着し、該プラスチックフィルムの上表面には黒板塗料を積層して、全体を１枚の巻回自在な柔軟シートとしたことを特徴とする黒板シート。
【請求項２】
シートの張り付け対象は、黒板表面の他、平らな板面、平らな壁面、その他の平面とすることを特徴とする請求項１に記載の黒板シート。
【請求項３】
プラスチックフィルムはポリエステルフィルムとしたことを特徴とする請求項１又は２に記載の黒板シート。
【請求項４】
ポリエステルフィルムの厚みを数十〜数百μｍとしたことを特徴とする請求項３に記載の黒板シート。
【請求項５】
表面層の黒板塗料はグリーン、ブラック、ホワイトの何れか１つの色としたことを特徴とする請求項１〜４の何れかに記載の黒板シート。
【考案の詳細な説明】
【技術分野】
【０００１】
本考案は既存の黒板の表面に張り付けることで、新たな黒板表面とすることができる黒板シートに関する。
【背景技術】
【０００２】
従来、黒板は一般に、ベニア板等の上に塗料を施した鉄板等を張り付けた形で構成されており、学校やその他の場所で使用されている。その黒板が古くなると、黒板の表面の塗装剥離や表面全体が白ボケするようになり、チョークの乗りが悪くなったりするので、黒板全体を新しいものに取り替えたり、或いは黒板の表面を補修する必要がある。
前記黒板表面の補修は、例えば表面に黒板用塗料を塗った鉄板やホーロー板、或いはそれにベニア板を裏打ちしたものを、黒板用張り付けボードとして既存の黒板の表面の更に上から糊付けして張り合わせて新たな黒板表面とすることができる。
一方、特開２００２−２１８６号公報には、合板製の基板（１）の表面に接着剤（６）によってマグネットシート（５）を貼着し、このマグネットシート（５）の表面に合成樹脂製の剥離シート（１３）を介して磁気吸引力によって鋼板製の黒板表面材（７）を貼着した黒板が提供されている（特許文献１）。
また特開２００２−２７４０９５号公報には、木質基板（１）に接着剤（６）で層状に構成されたシート構成部材（２ｂ）からなる剥離可能なシート部材（２）を貼着し、更に該シート部材（２）を介して金属製の黒板用表面板（３）を接着剤（８）で貼着した黒板が提供されている（特許文献２）。
また特開２００３−１１８２９４号公報には、木製等の基板（１）上に接着剤（２）等を介して取り付けられた鋼板（３）や既存の鋼鉄製黒板、鋼鉄製の建物壁面等の上方に、両面に磁気吸着力を有するシート状磁石（４）を介在させて、この磁気吸着力によって鋼板製表示部材（５）又はシート状磁石製表示部材（７）を取り付けた表示装置が提供されている（特許文献３）。
また特開２００４−１６０９３４号公報には、基板（１）の片面（１ａ）又は両面（１ａ、１ｂ）に、両面粘着シート（２）を介して表記用金属製表面板（３）を貼着した表記又は掲示板及び表記掲示兼用板が提供されている（特許文献４）。
【先行技術文献】
【特許文献】
【０００３】
【特許文献１】特開２００２−２１８６号公報
【特許文献２】特開２００２−２７４０９５号公報
【特許文献３】特開２００３−１１８２９４号公報
【特許文献４】特開２００４−１６０９３４号公報
【考案の概要】
【考案が解決しようとする課題】
【０００４】
ところが上記黒板用張り付けボードを既存の黒板表面に糊付けする従来の方法では、ボードが広面積であるために、嵩をとると共に数人でなければこれを持ち運ぶことができず、また面積の割には厚みが薄いので、持ち運んだりしている間にボードが捩じれて歪んだりする欠点があった。更にボードを黒板表面に張り付ける際には、黒板表面若しくはボードの裏面に接着剤を塗布しなければならず、しかも糊を塗布した後に広面積のボードを上手く張り付けるのは容易ではなく、作業に人手が必要となる問題があった。
一方、特許文献１に示す黒板の場合、接着剤等を使用することなく、マグネットシート（５）の磁気吸着力によって合板製基板（１）に鋼板製の黒板表面材（７）を取り付けることができると共に、剥離シート（１３）を剥がすだけで、古い黒板表面材（７）を容易に取り外して新しい黒板表面材（７）に張り替えることができる。しかし、黒板表面材（７）には強磁性の金属（鋼板）を用いる必要があり、鋼板製の黒板表面材（７）の場合、小さく丸め難く、また１人での取り付け作業が難しい問題がある。
また特許文献２に示す黒板の場合、シート構成部材（２ｂ）をシート層（２ａ）間で剥離させることで、木質基板（１）から古い金属製の黒板用表面板（３）を容易に取り外せ、新しい鋼板製の黒板表面材（３）と張り替えることができる。しかしながら、黒板表面材（７）は鋼板製であり、またそれぞれを接着剤（６、８）で取り付けているので、１人では運搬や張り替え作業を満足に出来ない問題がある。
また特許文献３に示す表示装置の場合、シート状磁石（４）を用いているため、前述の特許文献１に示す黒板の場合と同様の問題がある。
また特許文献４も示す表記または掲示板及び表記掲示兼用板の場合、基板（１）に両面粘着シート（２）で表記用金属製表面板（３）を貼着しているので、接着剤を用いる場合に比べて、作業が簡単で衛生上安全である。しかしながら、表記用板には金属製のものを使用しているので、現場で新しい表記用金属製表面板（３）と張り替えるには重く、１人では作業が満足に出来ない問題がある。
【０００５】
そこで本考案は上記従来技術の問題を解消し、嵩が低く且つ軽量で、一人でも持ち運びや取り付け作業ができると共に、既存の黒板表面やその他のボード面等に取り付けることで新たな黒板を製作することができ、皺が付き難く、表面の磨耗も少ない黒板シートの提供を課題とする。
【課題を解決するための手段】
【０００６】
上記課題を達成するため本考案の黒板シートは、既存の黒板表面に張り付けることで新しい黒板表面とすることができる黒板シートであって、最下層をなす剥離紙で両面接着材の下面を被覆し、該両面接着材の上面にプラスチックフィルムを接着し、該プラスチックフィルムの上表面には黒板塗料を積層して、全体を１枚の巻回自在な柔軟シートとしたことを第１の特徴としている。
また本考案の黒板シートは、上記第１の特徴に加えて、シートの張り付け対象は、黒板表面の他、平らな板面、平らな壁面、その他の平面とすることを第２の特徴としている。
また本考案の黒板シートは、上記第１又は第２の特徴に加えて、プラスチックフィルムはポリエステルフィルムとしたことを第３特徴としている。
また本考案の黒板シートは、上記第３の特徴に加えて、ポリエステルフィルムの厚みを数十〜数百μｍとしたことを第４特徴としている。
また本考案の黒板シートは、上記第１〜第４の何れかの特徴に加えて、表面層の黒板塗料はグリーン、ブラック、ホワイトの何れか１つの色としたことを第５特徴としている。
【考案の効果】
【０００７】
請求項１に記載の黒板シートによれば、既存の黒板表面に張り付けることで新しい黒板表面とすることができる黒板シートであって、最下層をなす剥離紙で両面接着材の下面を被覆し、該両面接着材の上面にプラスチックフィルムを接着し、該プラスチックフィルムの上表面には黒板塗料を積層して、全体を１枚の巻回自在な柔軟シートとしたので、
鉄板等を使用した従来のボードに比べて重量を非常に軽くすることができ、黒板張り替えの際等における持ち運びが非常に容易である。
また剥離紙が付く両面接着材とプラスチックフィルムと、その上に積層された黒板塗料からなる巻回自在な柔軟シートであるので、これを適当に巻回した状態で持ち運びすることができる。また黒板張り替えの際等の機械を用いて吊り上げる作業等を全く必要とすることなく、１人で運んで１人で張り替えを行うことができる。
また両面接着材による均一で強力な接着力で黒板表面に密着させるようにしているので、糊付けする場合に比べて、皺等の発生を抑制することができ、また失敗しても部分的に両面接着材を取り替えて張り直すことができ、結果として非常に綺麗な表面の黒板を確実に再生することができる。
またこの黒板シートが古くなった場合には、元の黒板から黒板シートを取り外し、何度でも新しい黒板シートに取り替えることができるので、長期間に渡って綺麗な黒板として使用することができる。
その他、本考案の黒板シートは、ハサミやナイフでも容易にカットして所望の形状、寸法にすることができ、汎用性よく、種々の形状や寸法の黒板に対して臨機応変に適応させることができる。これに対して従来の黒板では、電動鋸等の専用のカット機械や器具が必要であった。
【０００８】
また請求項２に記載の黒板シートによれば、請求項１又は２に記載の構成による作用効果に加えて、シートの張り付け対象は、黒板表面の他、平らな板面、平らな壁面、その他の平面とするので、
黒板シートの取付対象が固定された既存の黒板に限定されることなく、その用途と設置場所の対象を広げることができる。自由に持ち運びができる平らな板に黒板シートを取り付けることで、自由に移動可能な黒板として利用したり、また平らで両面接着材による接着が可能な板面、壁面に直接黒板シートを張り付けることで、壁面自体を黒板として利用することもでき、黒板の製作に対する速さとコストの軽減、そして黒板の用途と設置を自由に創造することができる。
更に本考案の黒板シートを壁紙材として、壁や床面、家具の一部分等の平面に張り付けることで、どこでも、誰でも、手軽に、書き消しできる黒板面を構成することができる。
また黒板表面の他、平らな板面、平らな壁面、その他の平面に張り付けても、黒板シートが古くなった場合には、黒板シートのみを取り外して丸めて回収すればよいので、黒板シートを何度も取り替えることで、長期間に渡って綺麗な黒板を使用することができる。
【０００９】
また請求項３に記載の黒板シートによれば、請求項１又は２に記載の構成による作用効果に加えて、プラスチックフィルムはポリエステルフィルムとしたので、
黒板シートの強度と柔軟性とを適度にすることができ、また黒板塗料との密着性を良好にして、シートを巻回したり延ばしたりしても黒板塗料に皺が入るのを確実に防止することができる。
【００１０】
また請求項４に記載の黒板シートによれば、請求項３に記載の構成による作用効果に加えて、ポリエステルフィルムの厚みを数十〜数百μｍとしたので、
黒板シートに充分な強度と柔軟性とを持たせることができると共に、チョーク等を押し当てて書くのに適度な硬さを提供することができる。
【００１１】
また請求項５に記載の黒板シートによれば、請求項１〜４の何れかに記載の構成による作用効果に加えて、表面層の黒板塗料はグリーン、ブラック、ホワイトの何れか１つの色としたので、
予め好みの色の黒板シートを用意することで、黒板の表面をグリーンにも、ブラックにも、ホワイトにも張り替えることができる。
【図面の簡単な説明】
【００１２】
【図１】本考案の実施形態に係る黒板シートの斜視図である。
【図２】本考案の黒板シートの剥離紙を剥がす状態を示す斜視図である。
【図３】本考案の黒板シートを既存の黒板表面に張り付ける状態を説明する図である。
【考案を実施するための形態】
【００１３】
図１を参照して、本考案の黒板シート１０は、最下層を剥離紙１１とし、該剥離紙１１を下面に被覆して接着力を保持する両面接着材１２と、その両面接着材１２の上面に取り付けたプラスチックフィルム１３と、該プラスチックフィルム１３の上表面に黒板塗料１４を積層して、巻回自在で柔軟なシートに構成している。
【００１４】
剥離紙１１は、前記両面接着材１２の下面、即ち既存の黒板表面等の被張り付け対象に前記黒板シート１０を張り付ける側の面に被着され、前記両面接着材１２が他のものに接着したり、埃等によって接着力が損なわれないよう保持できる紙とする。紙の片面（両面接着材１２を被覆する面）にはコーティング加工が施されており、これによって前記両面接着材１２の接着面に被着しても、コーティング加工によって接着せず、着脱自在に取り付けることができる。
剥離紙１１は、前記両面接着材１２の下面側の接着力を保持するために被着されているので、大きさは該両面接着材１２と同等のものを用いる。
剥離紙１１によって、前記両面接着材１２の上面を前記プラスチックフィルム１３の裏面全体に取り付ける際にも、他のものに該両面接着材１２が触れて汚れたり、誤って接着することを防ぐことができると共に、前記黒板シート１０を既存の黒板表面や平らな板面或いは壁面等に取り付ける時点まで新しい接着力の状態を保持することができる。
【００１５】
両面接着材１２は、下面に前記剥離紙１１を被着し、上面に前記プラスチックフィルム１３の裏面を取り付ける。それにより前記黒板シート１０を取り付ける際には、現場での糊付け作業を不要とし、該黒板シート１０を接着する対象物に対しては、前記両面接着材１２に被着した前記剥離紙１１を剥がして簡単に張り付けることができる。
なお両面接着材１２としては、例えば両面テープのような貼着が簡単で接着力もある材質が好ましい。
【００１６】
プラスチックフィルム１３は、芯部材を構成すると共に表面に黒板塗料１４を積層して前記黒板シート１０の基礎部材を構成する役割を果たすものである。材質の特性としては、適度な柔軟性があり、その柔軟性によって前記黒板塗料１４を確実に密着させ、これによって卷回したり延ばしたりしても皺が入ることなく基礎部材としての役割を果たす。
プラスチックフィルム１３は、ポリエステル（ＰＥＴ）フィルムとすることができる。
またこのポリエステルフィルムの厚みは、例えば数十〜数百μｍとすることができるが、黒板シートに充分な強度と柔軟性とを持たせることができると共に、チョーク等を押し当てて書くのに適度な硬さを必要とすることから、本実施形態では１００μｍ程度としている。ポリエステルフィルムとすることで、黒板シート１０として相応しい強度と硬度を備え、且つ巻回することができ、巻回を解いた際にも表面が凸凹しないフラットな面を提供することができる。ポリエステルフィルムの代わりに金属シート、金属フィルムを用いる場合には、巻回したり、それを解いたりすることで表面が凸凹になり易い。
【００１７】
黒板塗料１４は、前記プラスチックフィルム１３の上表面に積層される塗料として、熱硬化性アクリル樹脂１００部、架橋剤としてアミノ樹脂１０〜１００部、エポキシ樹脂１〜３０部を配合したものを基本樹脂組成としている。この基本樹脂１００部に平均粒径が１〜１００μｍのグリーン、ブラック、ホワイトの各種着色顔料、体質顔料を１００〜３５０部の割合で配合し、これをボールミル、ロールミル、サンドグラインドミル等により分散させ、グラインドゲージによる分散度を３０〜５０μｍになるように調整する。前記ホワイトの場合は紫外線カット塗料とすることができる。
ポリエステルからなる前記プラスチックフィルム１３の上表面を静電処理した後、上記黒板塗料１４を高温塗装する。高温塗装は、例えばエポキシ系プライマーを５μｍ、１４０〜１６０℃以下で２０秒焼き付け、乾燥塗布量が１０〜３０μｍになるようにリバースコーターで連続的に塗布し、１４０〜１６０℃以下で６０秒焼き付けを行う。
【００１８】
上記のようにしてできた黒板シート１０は、図２に示すように巻回してロール状にすることで、軽くて持ち運びが容易な状態とすることができる。よって運搬や吊り上げのための機械を必要とせず、運搬人も１人で充分となる。
【００１９】
本考案の黒板シート１０は、厚みが非常に薄く、しかも強度と柔軟性を有するので、既存の黒板Ｂの上に張り合わせても嵩張らず、新しい黒板として使用することができる。
また両面接着材１２を用いているので、既存の黒板Ｂのみならず、平らな板面、平らな壁面等、平らな面をもつものであれば、張り付け対象の材質や場所を限定されることはなく、種々のものに簡単に張り付けて黒板とすることができる。
また黒板シートは、電動鋸等の専用の機械、器具を用いることなく、ハサミ、ナイフで簡単にカットして、その場でも所望の形状にすることができる。よって、一種の壁紙として、張り付け対象物の形状や寸法に合わせて、自在に、黒板面を構成することができる。
勿論、壁面や床、家具の一部に小さな形状にカットした本考案の黒板シートをワッペン状に張り付けて、書き消しできるようにすることができる。
【００２０】
図３を参照して、本考案の黒板シート１０を既存の黒板Ｂに取り付ける場合を説明する。
まず既存の黒板Ｂの周縁の押え縁Ｅを外す。次にロール状に巻回された黒板シート１０の端部１０ａの前記剥離紙１１を少し捲り、押え縁Ｅの外された黒板表面Ｓの左右の何れか一辺（図３では右辺）に前記端部１０ａの接着面を合わせる。次に前記剥離紙１１を他辺側へ少しずつ引き捲り、前記黒板シート１０を押さえ延ばしながら、歪みや隙間のないように黒板表面Ｓに張り合わせていく。これによって、前記両面接着材１２の強力な接着力によって、前記黒板シート１０を既存の黒板Ｂの表面Ｓへの密着固定を完成させることができる。前記黒板シート１０の張り付けが終わると、前記外した押え縁Ｅで黒板表面Ｓの周縁を固定することで、前記黒板シート１０が確実に密着した、新しい黒板表面を持つ黒板が完成される。
このように、黒板シート１０の取り付け作業を一人で簡単に行うことができる。
また本考案の黒板シート１０を既存の黒板Ｂ以外のものに適用する場合には、張り付け対象物である壁やその他の平面の寸法、形状に合わせて黒板シート１０をカットし、或いは張り付けて使用したい黒板シート１０の形状（例えば、○や△その他の所望のデザイン形状）、寸法に合わせて黒板シート１０をカットし、カットした黒板シート１０を対象物の表面に張り付けることで黒板面を完成する。
【符号の説明】
【００２１】
１０    黒板シート
１０ａ  端部
１１    剥離紙
１２    両面接着材
１３    プラスチックフィルム
１４    黒板塗料
Ｂ      黒板
Ｓ      黒板表面
Ｅ      押え縁
【図１】
0003149866.tif 000003
【図２】
0003149866.tif 000004
【図３】
0003149866.tif 000005